【事件の表示】
　平成２年特許願第３３８９０２号「不織布製造装置」において、平成１１年１０月２５日付けでした手続補正に対してされた補正の却下の決定に対する審判事件について、次のとおり審決する。
【結　論】
　原決定を取り消す。
【理　由】
Ｉ．手続の経緯
　本願は平成２年１１月３０日の出願であって、平成１１年１０月２５日付けで手続補正がなされたところ、原審においてこの手続補正について平成１１年１１月２６日付けで補正の却下の決定をしたものである。
II．原補正却下の決定の理由
　上記補正却下の決定（以下「原決定」という。）の理由は概ね以下のとおりのものである。
『この手続補正は、特許請求の範囲の記載において、カット面の切込み位置について「気流制御体に直行する断面上において、フィラメント流の軸線に１５〜６０度の角度θで交わり且つ前記気流制御体の前記対向面における輪郭線に接する接線のその接点に位置し、且つ前記接線と前記カット面のなす角度αが１６５〜３０度であること」と補正し、さらに明細書第１７頁の記載において、「しかも対向面からのカット面の切込み位置を、・・・角度αを１６５〜３０度としたことにより、気流制御体の対向面を製造容易な真円の一部である円弧曲面としながらも、フィラメントの円周方向への回り込みの発生を有効に防ぐことができ、その結果ＣＤ方向の繊維むらのより少ない不織布を製造することができる、というすぐれた効果を奏する。」と補正するものであるが、これらの記載は願書に最初に添付した明細書又は図面に記載されておらず、且つ同明細書又は図面の記載からみて自明のこととも認められないので、この補正は明細書の要旨を変更するものと認められ、特許法第５３条第１項の規定により却下すべきものである。』
III．当審の判断
　まず、上記原決定の前段のカット面の切込み位置についての補正について検討する。
　願書に最初に添付した明細書及び図面（以下「出願当初の明細書」という。）には、カット面の切込み位置について次のように記載されている。
ア．「一対の気流制御体は互いの対向面が曲面で・・・前記対向面と反対側が切除されカット面を形成してある」（請求項１）、
イ．「気流制御体のカット面の切込み位置は、気流制御体に直行する断面上において、フィラメント流の軸線に１５〜６０度の角度θで交わる交線と気流制御体の輪郭線との接点に位置する」（請求項２）、
ウ．「気流制御体に直行する断面上において、前記交線のなす角度とカット面とのなす角度αが、１６５〜３０度である」（請求項３）
エ．「気流制御体のカット面の切込み位置は、気流制御体に直行する断面上において、フィラメント流の軸線に１５〜６０度の角度θで交わる交線と気流制御体の輪郭線との接点であるとよい。気流制御体に直行する断面上において、前記交線とカット面とのなす角度αが、２５５〜３０度であるとよい。」（６頁２〜８行）、
オ．「第３図に示すように、一対の気流制御体５のカット面５ｃのそれぞれの切込み位置５ｂは、気流制御体に直交する断面上において、フィラメント流の軸線６に対して角度θ＝１５〜６０度、好ましくは３０度〜４５度の大きさで、フィラメント流の軸線６に交わる交線７と一対の気流制御体５の輪郭線との接点に位置している。
　また、交線７とカット面５ｃのなす角度αは２５５〜３０度、好ましくは、１５０〜６０度がよい。第４図のようにカット面が垂直に起立するようにしてもよい。」（１１頁６〜１６行）、
カ．実施例１〜４に、気流制御体に直交する断面上において、フィラメント流の軸線６に４５，３５，４１または４１度で交わる交線７と一対の気流制御体５の輪郭線との接点に切り込み位置５ｂが位置している一対の気流制御体５を用い、交線７とカット面５ｃとのなす角度αをそれぞれ１３５，９０，４９及び４１度としたことが示されている。（１２頁９行〜１６頁最下行）
キ．第３，及び４図に、交線、交線とフィラメントの軸線が角度θで交わり、交線とカット面のなす角度αが記載されている。
　上記出願当初の明細書におけるカット面の切込み位置についての記載をみると、該カット面の切込み位置は、「気流制御体に直交する断面上において、フィラメント流の軸線に１５〜６０度の角度で交わる交線と気流制御体輪郭線との接点に位置し、且つ前記交線と前記カット面のなす角度αが１６５〜３０度であること」が認められる。そして、接点は「(1)曲線とその接線との共有点、(2)機械における２つの機素が互いに接触しあう点、(3)小面積の接触を通じて電流を流し、または開閉する部分、(4)両者の出会う所、また、互いの考えの一致する所」の意味を有するものであるが（「広辞苑」参照）、(2)〜(4)が平面上の線や点とは関係のない事項に関するものであるから、前記接点とは(1)の意味に解するのが最も適切である。
　そうすると、カット面の切込み位置である接点は、「フィラメント流の軸線に１６〜６０度の角度で交わる交線と気流制御体の輪郭線との接点」であり、接点は曲線とその接線との共有点であるから、この場合曲線が輪郭線で、交線が前記輪郭線の接線になるときの接点であるものと解するほかない。
　すなわち、交線は「気流制御体に直行する断面上において、フィラメント流の軸線に１５〜６０度の角度θで交わり」且つ「気流制御体の前記対向面における輪郭線に接する接線」ということができる。　
　したがって、カット面の切込み位置について、「気流制御体に直行する断面上において、フィラメント流の軸線に１５〜６０度の角度θで交わり且つ前記気流制御体の前記対向面における輪郭線に接する接線のその接点に位置し、且つ前記接線と前記カット面のなす角度αが１６５〜３０度であること」は出願当初の明細書に記載した事項の範囲内のものであると認める。
　次に、原決定に記載された後段の補正事項である、「しかも対向面からのカット面の切込み位置を、・・・角度αを１６５〜３０度としたことにより、気流制御体の対向面を製造容易な真円の一部である円弧曲面としながらも、フィラメントの円周方向への回り込みの発生を有効に防ぐことができ、その結果ＣＤ方向の繊維むらのより少ない不織布を製造することができる、というすぐれた効果を奏する。」について検討する。
　出願当初の明細書には、気流制御体の対向面とその効果について以下のように記載されている。
ク．「一対の気流制御体は互いの対向面が曲面で」（請求項１及び４、及び５頁下より３行））、
ケ．「ところで、特開昭６２−１６２０６３号公報には気流の方向を変位させる断面円形の棒状ローラをＣＤ方向に振動させる装置が開示されている。」（３頁下より３〜１行）
コ．「気流制御体の切込み位置から、前記対向面と反対側が切除されカット面を形成してあるので、気流制御体の周囲に沿って気流制御体の裏側にフィラメントの巻上がることがない。」（７頁下より３行〜８頁１行）
サ．「一対の気流制御体５は、対向面５ａを曲面とした断面が切欠き円状の２つの棒状体を組み合わせてあり」（ １０頁下より１行〜１１頁２行）、
シ．「（比較例２）
　カット面５ｃのある一対の気流制御体５に代え、直径３８φの丸棒対を用い、各丸棒の対向間隔を・・・」（１４頁６〜８行）、
ス．「［発明の効果］
　本発明の不織布の製造装置は、このような構造でなるから、ＣＤ方向の繊維むらのより少ない不織布が得られる。」（１７頁４〜７行）
セ．第１〜５図に、気流制御体の対向面５ａが曲面として示されている。
　上記記載から、出願当初の明細書には、気流制御体の対向面とその効果につき、「気流制御体は対向面を曲面とした断面が切欠き円状の２つの棒状体を組み合わせたものであって、気流制御体の切込み位置から、前記対向面と反対側が切除されカット面を形成してあるので、気流制御体の周囲に沿って気流制御体の裏側にフィラメントの巻上がることがなく、ＣＤ方向の繊維むらのより少ない不織布が得られる。」ことが記載されているものと認められる。そして、前記「断面が切り欠き円状」とは、従来の気流制御体の断面が円形の棒状ローラであること（上記ケ参照）、及び比較例の直径３８φの丸棒対との記載（上記シ参照）を考慮すると、本願発明が従来技術の断面が円形の丸棒材に切欠き部を設けたものであって、「断面が通常の円形すなわ真円形のものを切り欠いたもの」を意味することが認められる。そして、気流制御体は、その切欠き断面が真円形であれば、対向面は円の一部を構成する円弧曲線であるといえることは明らかである。
　したがって、出願当初の明細書には「しかも対向面からのカット面の切込み位置を、・・・角度αを１６５〜３０度としたことにより、気流制御体の対向面を真円の一部である円弧曲面としながらも、フィラメントの円周方向への回り込みの発生を有効に防ぐことができ、その結果ＣＤ方向の繊維むらのより少ない不織布を製造することができる、というすぐれた効果を奏する。」ことは記載されていたものと認められるが、気流制御体の対向面が真円の一部である円弧曲面であるから製造容易であることについては記載されていない。
　しかしながら、気流制御体の対向面が真円の一部である円弧曲面であることは上記のとおり出願当初の明細書に記載された事項であるし、曲線が円形であれば製造容易であることは当業界における常識程度のことに過ぎないから、製造容易であることは出願当初の明細書に記載されていたに等しい事項と認められる。
　したがって、上記手続補正は、出願当初の明細書に記載した事項の範囲内においてなされたものであるから、明細書の要旨を変更するものでない。
IV．むすび
　以上のとおりであるから、上記手続補正を却下すべきものとした原決定は失当である。